(57)【特許請求の範囲】
【請求項１】
背面に指を差し込み、表面でパンチを受けるようにしたパンチンググローブにおいて、該グローブの表面側内部に収容される帯状の圧力センサと、前記グローブのスポンジ内に収容され前記圧力センサよりの出力電圧に比例したデジタル信号を送出する表示回路と、該表示回路よりの出力を表示する表示装置と、前記表示装置による表示をリセットするリセットスイッチとを具備したことを特徴とするパンチ力測定用グローブ。
【請求項２】
前記リセットスイッチを前記グローブの背面に挿入した指で操作できる位置に取付けたことを特徴とする請求項１記載のパンチ力測定用グローブ。
【請求項３】
前記リセットスイッチを帯状スイッチとしたことを特徴とする請求項１記載のパンチ力測定用グローブ。
【発明の詳細な説明】
【０００１】
【発明の属する技術分野】
本発明はボクシング等の武道の練習時に、コーチが手に持ってパンチを受けるハンチンググローブに関する。
【０００２】
【従来の技術】
従来、ボクシングの練習には、一人で練習する場合はサンドバッグ、パンチボールが使用され、コーチを相手に練習する場合はパンチンググローブが使用されている。このパンチンググローブは、平面形において小判状に形成され、内部に硬質のスポンジが充填されているもので、表面は平坦に、裏面はグローブ状に形成されている。
【０００３】
そして、このパンチンググローブを使用しての練習は、コーチが裏面側のグローブ内に指を差し入れ、表面側をボクサーに向けて、この表面でボクサーのパンチを受けるものである。
【０００４】
【発明が解決しようとする課題】
ところで、前記した従来のパンチンググローブにあっては、ボクサーのパンチ力がどの程度あるか否かの判断は、コーチが受ける衝撃力で感じるのみであり、具体的な数値で判断することができなかった。すなわち、相当ベテランのコーチであれば、前記衝撃力で大体のパンチ力を判断できるが、素人が受ける場合にはパンチ力によるボクサーの調子を判断することは困難であった。
【０００５】
本発明は前記した問題点を解決せんとするもので、その目的とするところは、表面で受ける衝撃力の大きさを数値（キログラム）で表示するようにしたので、誰でも正確にパンチ力を知ることができ、ボクサーの調子を把握可能なパンチ力測定用グローブを提供せんとするにある。
【０００６】
【課題を解決するための手段】
本発明のパンチ力測定用グローブは、前記した目的を達成せんとするもので、その手段は、背面に指を差し込み、表面でパンチを受けるようにしたパンチンググローブにおいて、該グローブの表面側内部に収容される帯状圧力センサと、前記グローブのスポンジ内に収容され前記圧力センサよりの出力電圧に比例したデジタル信号を送出する表示回路と、該表示回路よりの出力を表示する表示装置と、前記表示装置による表示をリセットするリセットスイッチとを具備したものである。
【０００７】
また、前記リセットスイッチを前記グローブの背面に挿入した指で操作できる位置に取付けることが望ましく、さらに、前記リセットスイッチを帯状スイッチとすることが望ましい。
【０００８】
【発明の実施の形態】
以下、本発明に係るパンチ力測定用グローブの実施の形態を図面と共に説明する。
図１、図２において、１は公知のパンチンググローブ（以下、単にグローブという）にして、小判状に形成した硬質スポンジ１１と比較的軟質のスポンジ１２とを重合した状態で、合成皮革あるいは皮革等の表皮１３によって覆っている。
【０００９】
そして、このグローブ１の表面は平坦となっており、また、裏面はボクサーの練習相手となる人の指Ａ1 を挿入するための指挿入皮革１４が縫着されている。なお、指挿入皮革１４の先端は指Ａ1 より短く形成され、指Ａ1 の先端が露出するようになっている。また、１５は手首Ａ2 に巻き付けるためのバンドである。
【００１０】
２は前記硬質スポンジ１１と前記表皮１３の間に長手方向に沿って挿入された帯状の圧力センサにして、公知の圧電フィルムによって構成されている。３は前記軟質スポンジ１２内に衝撃が直接加わらないように収容された図３に詳細を示す表示回路、４は該表示回路３によって衝撃力をキログラム単位で表示する表示装置である。
【００１１】
５は前記グローブ１の背面側で、かつ、指挿入皮革１４より上方、すなわち、指挿入皮革１４より突出した指Ａ1 の先端で操作できる位置に固定された帯状スイッチからなるリセットスイッチである。このリセットスイッチ５は、２枚の金属接点板を所定間隔を隔てて配置すると共に全体を合成樹脂膜で覆ったもので、指先で押圧することにより、前記２枚の金属接点板が接触することでスイッチとしてオン状態となる。
【００１２】
次に、図３の表示回路について説明する。なお、図１、図２と同一符号は同一部材を示し、説明は省略する。
表示回路３は圧力センサ２よりの出力を増幅する増幅器３１と、該増幅器３１で増幅されたアナログ出力をデジタル出力に変換するＡＤ変換器３２および該ＡＤ変換器３２よりのデジタル出力に応じた表示を行わせる駆動回路３３とより構成されている。
【００１３】
以上の構成に基づいて動作を説明する。
先ず、コーチ等がグローブ１の指挿入皮革１４内に指先を突出させた状態で指Ａ1 を挿入する。そして、グローブ１の表面側をボクサーに向けてパンチを受ける。この時、表面側の表皮１３の内側に配置されている圧力センサ２が衝撃力を受けるので、該衝撃力に応じた電圧が圧力センサ２より発生する。
【００１４】
この圧力センサ２よりの電圧は増幅器３１で増幅された後、ＡＤ変換器３２でデジタル出力に変換され駆動回路３３に送出される。ここで、駆動回路３３は前記デジタル出力に応じた数値を表示装置４に出力して、キログラム単位で数値を表示する。
【００１５】
ここで、表示装置４はグローブ１の裏面側に設置されているので、コーチはこの数値を直ちに見ることができるので、今のパンチ力がどのくらいあるかを直ちに判断できる。従って、コーチ以外の誰であっても数値で表されることから、パンチ力を正確に把握することができる。
【００１６】
そして、数値を確認した後は、リセットスイッチ５を指先で押圧してオン状態とすることで駆動回路３３はアースされるので、駆動回路３３はリセットされ表示装置４の表示をゼロとし、次の衝撃力に備えることができる。
【００１７】
なお、前記した実施の形態にあっては、駆動回路３３と表示装置４とは一体的に形成されている場合を示したが、駆動回路３３と表示装置４とは分離されていてもよく、また、リセットスイッチ５は必ずしも指先によって操作できる位置に配置する必要もない。
【００１８】
【発明の効果】
本発明は前記したように、パンチンググローブの表面側に圧力センサを配置すると共に、該圧力センサに加わる衝撃力を表示装置で表示するようにしたので、誰でもボクサーの相手をしてパンチンググローブでパンチを受けても、パンチ力を表示装置でみることにより、ボクサーの調子を知ることができる。
【００１９】
また、表示装置に表示された数値をリセットするためのリセットスイッチを、パンチンググローブに差し込んだ指先で操作できるようにすることにより、リセット操作が簡単、かつ、迅速に行え、従って、連続しての練習に応じることができる。
【００２０】
さらに、リセットスイッチを帯状のスイッチとすることにより、指先での操作性が良好となり、従って、前記指先での操作と相まって、リセット操作が非常に簡単、かつ、確実に行える等の効果を有するものである。
【図面の簡単な説明】
【図１】本発明に係るパンチ力測定用グローブの背面図である。
【図２】同上の縦断面図である。
【図３】表示装置でパンチ力を表示するための表示回路ブロック図である。
【符号の説明】
１    パンチンググローブ
２    圧力センサ
３    表示回路
４    表示装置
５    リセットスイッチ
【図１】
0003780369.tif 000002
【図２】
0003780369.tif 000003
【図３】
0003780369.tif 000004